(57)【要約】【課題】濾過槽に接合されるヘッダタンクの突出を抑え、濾過槽のコンパクト化を図ることができる濾過濃縮装置を提供すること。【解決手段】濾過槽２は、濾過槽側壁５１にカプラーに係る部分を外側に凹ませてなるカプラー収容部６０を備え、ヘッダタンク４が濾過槽側壁５１の槽外面からカプラー収容部６０の槽外端までの幅以下の幅を有し、当該カプラー収容部６０の下側で濾過槽側壁５１に沿って設けられる。【選択図】図３
2013212441.tif 000002
【特許請求の範囲】
【請求項１】
複数の濾過板を所定ピッチで濾過槽内に沈め、前記濾過槽内の濾過対象水を前記濾過板を介して濾過し、該濾過された濾過水を、濾過ホース、及び所定数の濾過ホースが接続されたヘッダタンクを介して槽外に排出するとともに、前記濾過対象水を濃縮する濾過濃縮装置であって、
前記濾過ホース及びヘッダタンクの各接続部分には、ソケット及びプラグからなるカプラーを有し、
前記濾過槽側壁には、前記カプラーに係る部分を外側に凹ませてなるカプラー収容部が設けられ、
前記ヘッダタンクは、前記濾過槽側壁の槽外面から前記カプラー収容部の槽外端までの幅以下の幅を有し、当該カプラー収容部の下側で前記濾過槽側壁に沿って設けられていることを特徴とする濾過濃縮装置。
【請求項２】
前記カプラー収容部は、該カプラー収容部の下側に位置する濾過槽側壁部分の上端から該カプラー収容部の槽外端まで斜め上方に延びる斜板部を有し、前記ヘッダタンクは、前記斜板部の槽外面及び該斜板部下側につながる前記濾過槽側壁に接合されていることを特徴とする請求項１に記載の濾過濃縮装置。
【請求項３】
前記プラグは、その中心軸が前記斜板部に対して垂直になるように設けられていることを特徴とする請求項１又は請求項２に記載の濾過濃縮装置。
【請求項４】
前記濾過槽側壁の槽外部に設けられる縦リブのうち、前記ヘッダタンクに係る部分が、該濾過槽側壁に垂直なヘッダタンク側壁によって代替されていることを特徴とする請求項１〜３のいずれか一つに記載の濾過濃縮装置。
【発明の詳細な説明】
【技術分野】
【０００１】
この発明は、複数の濾過板を所定ピッチで濾過槽内に沈め、濾過槽内の濾過対象水を濾過板を介して濾過し、濾過された濾過水を、濾過ホース及び濾過槽外部に設けられ複数の各濾過ホースが接続されたヘッダタンクを介して槽外に排出するとともに濾過対象水を濃縮する濾過濃縮装置に関する。
【背景技術】
【０００２】
汚泥などの脱水処理では、加圧や真空などによる機械的脱水処理が一般的であるが、この機械的脱水処理では、処理に要するエネルギーが大きい。このため、サイフォンの原理を利用し、濾布などの濾過手段の表面に汚泥を吸引付着させ、汚泥中の水分を吸引して濃縮する濾過濃縮装置を用いて、脱水処理にかかるエネルギー負荷を軽減するものがある（特許文献１参照）。
【先行技術文献】
【特許文献】
【０００３】
【特許文献１】特開２００９−２１４０８６号公報
【発明の概要】
【発明が解決しようとする課題】
【０００４】
このような濾過濃縮装置では、濾過槽内の各濾過板によって濾過された濾過水は、各濾過板から槽外側に向けて横方向に延びる各濾過ホース及び濾過槽外部に設けられ複数の各濾過が接続されたヘッダタンクを介して槽外に排出される。
【０００５】
ここで、濾過ホースのヘッダタンクへの接続は、図５に示すように、濾過ホース１２０先端に設けられたソケット１２０ａ及び濾過槽側壁１０２に設けた穴を通じてヘッダタンク１０４から槽内側に突出して設けられたプラグ１０４ａからなるカプラーを介して行われる。濾過槽側壁１０２には、カプラーに係る部分を外側に凹ませてなるカプラー収容部１０２ａが設けられているため、カプラーをカプラー収容部内１０２ａの凹んだ空間に位置させることにより、濾過板洗浄時、洗浄装置とカプラーの干渉を回避することとしていた。
【０００６】
ところで、濾過ホースは、各濾過板側部から槽外側に向けて横方向に延出するものであり、しかもカプラーを介してヘッダタンクに接続されるものである。このため、従来の濾過濃縮装置では、接続作業の容易性を考慮する観点から、ヘッダタンク１０４から槽内側に突出するプラグ１０４ａの突出方向が濾過槽側壁１０２に対して垂直になるように、ヘッダタンク１０４をカプラー収容部１０２ａの槽外端に係る部分に設けることとしていた。
【０００７】
即ち、従来の濾過濃縮装置では、ヘッダタンク１０４が、濾過槽側壁１０２から槽外側に突出したカプラー収容部１０２ａのさらに槽外側に突出して配置されているため、濾過槽の幅が大きくなり、濾過槽の搬送に困難が伴うという問題があった。
【０００８】
この発明は、上記に鑑みてなされたものであって、濾過槽に接合されるヘッダタンクの突出を抑え、濾過槽のコンパクト化を図ることができる濾過濃縮装置を提供することを目的とする。
【課題を解決するための手段】
【０００９】
上述した課題を解決し、目的を達成するために、この発明にかかる濾過濃縮装置は、複数の濾過板を所定ピッチで濾過槽内に沈め、この濾過槽内の濾過対象水を前記濾過板を介して濾過し、濾過された濾過水を、濾過ホース、及び所定数の濾過ホースが接続されたヘッダタンクを介して槽外に排出するとともに濾過対象水を濃縮する濾過濃縮装置であって、前記濾過ホース及びヘッダタンクの各接続部分には、ソケット及びプラグからなるカプラーを有し、前記濾過槽側壁には、前記カプラーに係る部分を外側に凹ませてなるカプラー収容部が設けられ、前記ヘッダタンクは、前記濾過槽側壁の槽外面から前記カプラー収容部の槽外端までの幅以下の幅を有し、当該カプラー収容部の下側で前記濾過槽側壁に沿って設けられていることを特徴とする。
【００１０】
また、この発明にかかる濾過濃縮装置は、上記の発明において、前記カプラー収容部は、該カプラー収容部の下側に位置する濾過槽側壁部分の上端から該カプラー収容部の槽外端まで斜め上方に延びる斜板部を有し、前記ヘッダタンクは、前記斜板部の槽外面及び該斜板部下側につながる前記濾過槽側壁に接合されていることを特徴とする。
【００１１】
また、この発明にかかる濾過濃縮装置は、上記の発明において、前記プラグは、その中心軸が前記斜板部に対して垂直になるように設けられていることを特徴とする。
【００１２】
また、この発明にかかる濾過濃縮装置は、上記の発明において、前記濾過槽側壁の槽外部に設けられる縦リブのうち、前記ヘッダタンクに係る部分が、該濾過槽側壁に垂直なヘッダタンク側壁によって代替されていることを特徴とする。
【発明の効果】
【００１３】
この発明によれば、濾過槽は、濾過槽側壁にカプラーに係る部分を外側に凹ませてなるカプラー収容部を備え、ヘッダタンクが濾過槽側壁の槽外面からカプラー収容部の槽外端までの幅以下の幅を有し、当該カプラー収容部の下側で濾過槽側壁に沿って設けられるようにしているので、濾過槽に接合されるヘッダタンクの突出を抑え、濾過槽のコンパクト化を図ることができる。
【図面の簡単な説明】
【００１４】
【図１】図１は、この発明の実施の形態にかかる濾過濃縮装置の概要構成を示す模式図である。
【図２】図２は、濾過槽に濾過板を組み込む状態を示す模式図である。
【図３】図３は、濾過槽の突出部とヘッダタンクとの接合状態を示す断面図である。
【図４】図４は、濾過槽側壁に配置されるヘッダタンクの配置状態を示す正面図である。
【図５】図５は、従来のヘッダタンクの濾過槽への配置状態を示す断面図である。
【発明を実施するための形態】
【００１５】
以下、添付図面を参照してこの発明を実施するための形態について説明する。
【００１６】
（全体構成）
図１は、この発明の実施の形態にかかる濾過濃縮装置の概要構成を示す模式図である。濾過濃縮装置１は、濾過対象水である汚泥が蓄えられる濾過槽２と、濾過槽２内に複数配置され、濾過槽２内の汚泥を濾過するとともに汚泥を濃縮する複数の濾過板３と、各濾過板３側部から濾過槽２の外側に延出する濾過ホース２０と、複数の濾過ホース２０が接続された複数のヘッダタンク４とを有する。
【００１７】
濾過槽２は、上方つまり天井開放の直方体の水槽であり、その中に積層した濾過板３が濾過対象水の中に浸っている。濾過槽２の下部側壁には、汚泥吸排管５の一端が連通して接続され、その管路途中には、汚泥吸排弁Ｖ１を介して汚泥吸排ポンプＰが接続されている。汚泥吸排ポンプＰを稼動し、汚泥吸排弁Ｖ１を開くことによって、濾過槽２内に汚泥を送入し、あるいは汚泥を引き抜くことができる。また、濾過槽２の底部には、図示しないスクリューコンベアなどが配置され、濃縮汚泥引抜管６の一端が連通して接続されている。この濃縮汚泥引抜管６の途中には、汚泥排出弁Ｖ２が設けられ、汚泥排出弁Ｖ２を開くことによって、濾過槽２の下部においてスクリューコンベアなどによって搬送される濃縮汚泥を槽外に排出することができる。濾過板３で濾過された濾過水は、濾過ホース２０、ヘッダタンク４、及び引抜弁Ｖ４を含む濾液排出管８を介し、サイフォンの原理で槽外に排出される。なお、サイフォン形成時に用いる水道水は給水弁Ｖ３を介してヘッダタンク４に供給される。また、濾過板３には、コンプレッサＣ及び空気流入弁Ｖ５を介して空気が供給され、濾過板３表面に付着した汚泥が剥離される。
【００１８】
（濾過槽への濾過板の組込）
図２は、濾過槽２に濾過板３を組み込む状態を示す模式図である。図２に示すように、濾過板３は、濾過槽２の濾過槽側壁５１上部に設けられた濾過板支持部５５に対して位置決め配置され、Ｘ方向に対して所定ピッチで配列される。
【００１９】
（濾過槽側壁上部及びヘッダタンクの構成）
図２及び図３に示すように、濾過槽側壁５１の上部で、濾過ホース２０が接続される部分に、上部斜板部６０ａと下部斜板部６０ｂの２面から構成するカプラー収容部６０が形成される。カプラー収容部６０を断面で見ると、上部斜板部６０ａと下部斜板部６０ｂを対辺とする２辺の山型形状（その空間は三角形状）で濾過槽側壁５１の上部において槽外方向（Ｙ方向）に山型頂点高さ距離分凹んだ空間を形成する。この凹んだ空間内で、濾過ホース２０はカプラーを介してヘッダタンク４に着脱自在に接続される。なお、上部斜板部６０ａは平面に限らず、折り曲げられた平面や球面であってもよい。
【００２０】
ヘッダタンク４は、濾過槽側壁５１の槽外面からカプラー収容部６０の山型頂点高さ距離以下の幅を有し、下部斜板部６０ｂの槽外面、及び下部斜板部６０ｂの下側（−Ｚ方向）につながる濾過槽側壁５１に沿って接合される。ここで、ヘッダタンク４は、ヘッダタンク頂版４ｂと、濾過槽側壁５１に平行に配設されるヘッダタンク側壁４ｃ及びヘッダタンク側壁４ｅ、並びに濾過槽側壁５１に垂直な一対のヘッダタンク側壁４ｆからなる４つの側壁と、ヘッダタンク底版４ｄ、すなわち６面にて構成される。
【００２１】
ヘッダタンク頂版４ｂには、プラグ４ａが設けられ、プラグ４ａは、下部斜板部６０ｂに設けられた孔６０ｃに挿通される。このプラグ４ａには、濾過ホース２０の先端に設けられたソケット２０ａが着脱自在に接続される。なお、濾液排出管８はヘッダタンク底版４ｄに接続され、給水管７を兼ねる空気流入管９はヘッダタンク側壁４ｅ上部に接続される。ヘッダタンク４には、複数のプラグ４ａが設けられ、そこに濾過ホース２０が接続される。また、ヘッダタンク４は、濾過槽側壁５１に沿って長さ方向（Ｘ方向）に複数配置される。
【００２２】
ここで、ヘッダタンク４は、複数の濾過ホース２０からの濾過水を１つの配管である濾液排出管８を通じて１箇所にまとめて排水する役割を果たすほか、１つの給水・給気兼用の配管である空気流入管９からの洗浄用水・洗浄用空気を複数の濾過ホース２０を通じて分配する役割をも果たす圧力タンクである。
【００２３】
ヘッダタンク４は、断面がカプラー収容部６０の山型頂点高さ距離以下であればよい。なお、この実施の形態におけるヘッダタンク４は、図３に示すように、その水平方向の幅がカプラー収容部６０の山型頂点高さ距離の幅と同じになっており、その結果、ヘッダタンク側壁４ｅの外面、カプラー収容部６０の槽外端、及び、濾過槽側壁５１の槽外面から外側に突出して設けられたリブ２の頂部により、フラットな仮想面が形成される。
【００２４】
ところで、ヘッダタンク４は、通常、横断面正方形又は円形形状に形成されることにより圧力タンクとしての強度が確保されるが、この実施の形態におけるヘッダタンク４では、従来からのヘッダタンクのタンク容量を維持しつつ水平方向の幅をカプラー収容部６０の山型頂点高さ距離の幅以下としたため、薄形形状に形成されることになり、圧力タンクとしての強度を確保することが困難となる。そこで、この実施の形態では、ヘッダタンク側壁４ｅの内面から内側に突出し、かつ、上下に延びるヘッダタンク内補強リブ４ｇを長さ方向（X方向）に適宜間隔で複数設けることにより補強している。
【００２５】
ここで、図４に示すように、濾過槽側壁５１には、濾過槽２の内側からの水圧に対する強度を持たせるため、縦リブ２ａと横リブ２ｂとが格子状に形成されている。この実施の形態では、濾過槽側壁５１の槽外部に設けられるはずの縦リブ２aのうち、ヘッダタンク４に係る部分が、濾過槽側壁５１に垂直なヘッダタンク側壁４ｆによって代替されている。具体的には、ヘッダタンク側壁４ｆは、この縦リブ２ａが配置される部分の延長線上に配置される。これにより、隣り合うヘッダタンク側壁４ｆは縦リブ２ａと同様、濾過槽側壁５１の強度を補うという役割を果たすことが可能となり、ヘッダタンク４の配置に伴う構造の簡易化を実現している。
【００２６】
このような実施の形態によれば、カプラー収容部６０が濾過ホース２０をヘッダタンク４に接続するための突出した空間を形成するとともに、ヘッダタンク４が、カプラー収容部６０の下側に設けられ、かつ、カプラー収容部６０の頂点を越えない薄形形状に形成されているため、ヘッダタンク４を設けた濾過槽２の水平方向の幅を最小限に抑えることができ、濾過槽２のコンパクト化を図ることができる。
【符号の説明】
【００２７】
１  濾過濃縮装置
２  濾過槽
３  濾過板
Ｖ１  汚泥吸排弁
Ｖ２  汚泥排出弁
Ｖ３  給水弁
Ｖ４  引抜弁
Ｖ５  空気流入弁
Ｐ  汚泥吸排ポンプ
Ｃ  コンプレッサ
４  ヘッダタンク
４ａ  プラグ
４ｂ  ヘッダタンク上壁
４ｃ，４ｅ，４ｆ  ヘッダタンク側壁
４ｇ  ヘッダタンク内補強リブ
４ｄ  ヘッダタンク底版
５  汚泥吸排管
６  濃縮汚泥引抜管
７  給水管
８  濾液排出管
９  空気流入管
２０  濾過ホース
２０ａ  ソケット
３０  被支持パイプ
５１  濾過槽側壁
５４  溝部
５５  濾過板支持部
５５ａ，５５ｂ  山形鋼
６０  カプラー収容部
６０ａ  上部斜板部
６０ｂ  下部斜板部
１０２  濾過槽側壁
１０２ａ  カプラー収容部
１０４  ヘッダタンク
１０４ａ  プラグ
１２０  濾過ホース
１２０ａ  ソケット
【図１】
2013212441.tif 000003
【図２】
2013212441.tif 000004
【図３】
2013212441.tif 000005
【図４】
2013212441.tif 000006
【図５】
2013212441.tif 000007